【手続補正書】
【提出日】平成17年2月8日(2005.2.8)
【手続補正１】
【補正対象書類名】明細書
【補正対象項目名】特許請求の範囲
【補正方法】変更
【補正の内容】
【特許請求の範囲】
【請求項１】
ＣＲ遊技機とＣＲ媒体貸出機を含み、前記ＣＲ媒体貸出機および前記ＣＲ遊技機の間のＣＲ通信によって遊技媒体をＣＲ遊技機から貸し出すＣＲ遊技システムにおいて、
さらに、遊技媒体の貸出単価を制御する媒体貸出単価制御装置を含み、
前記媒体貸出単価制御装置は、
前記ＣＲ媒体貸出機から、前記ＣＲ通信のうちの媒体払出指示信号を受信する払出指示信号受信手段と、
前記媒体払出指示信号が受信されたときに、可変設定される遊技媒体の貸出単価に基づき、遊技媒体の払出数を表す払出数信号を生成する払出数信号生成手段と、
前記払出数信号を前記ＣＲ遊技機へ送信する払出数信号送信手段と、
を含むことを特徴とするＣＲ遊技システム。
【請求項２】
ＣＲ遊技機とＣＲ媒体貸出機を含み、前記ＣＲ媒体貸出機および前記ＣＲ遊技機の間のＣＲ通信によって遊技媒体をＣＲ遊技機から貸し出すＣＲ遊技システムにおいて、
さらに、遊技媒体の貸出単価を制御する媒体貸出単価制御装置を含み、
前記媒体貸出単価制御装置は、遊技媒体の貸出のためのＣＲ通信が行われるとき、可変設定される遊技媒体の貸出単価に基づいた遊技媒体の払出数を表す払出数信号を前記ＣＲ遊技機へ送信することにより、前記ＣＲ遊技機に前記払出数信号に従って遊技媒体を払い出させることを特徴とするＣＲ遊技システム。
【請求項３】
請求項２に記載のＣＲ遊技システムにおいて、
前記媒体貸出単価制御装置は、前記ＣＲ媒体貸出機および前記ＣＲ遊技機の間に介在してＣＲ通信を中継するＣＲ通信中継手段を含み、前記ＣＲ通信中継手段がＣＲ通信を中継することによって、遊技媒体の貸出のためのＣＲ通信を検出することを特徴とするＣＲ遊技システム。
【請求項４】
請求項３に記載のＣＲ遊技システムにおいて、
前記媒体貸出単価制御装置は、前記ＣＲ通信中継手段が前記ＣＲ媒体貸出機から媒体払出指示信号を受信したとき、前記払出数信号を前記ＣＲ遊技機へ送信することを特徴とするＣＲ遊技システム。
【請求項５】
請求項１〜４のいずれかに記載のＣＲ遊技システムにおいて、
前記媒体貸出単価制御装置は、複数の媒体貸出単価制御装置と通信を行う外部制御装置から指示される貸出単価に基づいて前記払出数信号を生成することを特徴とするＣＲ遊技システム。
【請求項６】
請求項１〜５のいずれかに記載のＣＲ遊技システムにおいて、
遊技媒体の貸出単価を設定する貸出単価設定手段を含むことを特徴とするＣＲ遊技システム。
【請求項７】
請求項１〜６のいずれかに記載のＣＲ遊技システムにおいて、
前記媒体貸出単価制御装置は、さらに、現金を受け付ける現金受付手段を有し、現金による媒体貸出のためにも、前記払出数信号を前記ＣＲ遊技機へ送信することを特徴とするＣＲ遊技システム。
【請求項８】
請求項７に記載のＣＲ遊技システムにおいて、
前記媒体貸出単価制御装置は、現金による媒体貸出の情報を前記ＣＲ媒体貸出機に送信することを特徴とするＣＲ遊技システム。
【請求項９】
請求項１〜８のいずれかに記載のＣＲ遊技システムにおいて、
前記媒体貸出単価制御装置は、さらに、遊技場の会員カードを受け付けるカード受付手段を有し、会員カードによる媒体貸出のためにも、前記払出数信号を前記ＣＲ遊技機に送信することを特徴とするＣＲ遊技システム。
【請求項１０】
請求項９に記載のＣＲ遊技システムにおいて、
前記媒体貸出単価制御装置は、会員カードによる媒体貸出の情報を前記ＣＲ媒体貸出機に送信することを特徴とするＣＲ遊技システム。
【請求項１１】
請求項９または１０に記載のＣＲ遊技システムにおいて、
会員カードをもつ会員の遊技媒体の出入状況に応じて貸出単価を変更する手段を含むことを特徴とするＣＲ遊技システム。
【請求項１２】
請求項１〜１１のいずれかに記載のＣＲ遊技システムにおいて、
遊技者の遊技媒体の出入状況に応じて貸出単価を変更する手段を含むことを特徴とするＣＲ遊技システム。
【請求項１３】
請求項１〜１２のいずれかに記載のＣＲ遊技システムにおいて、
前記ＣＲ遊技機における遊技媒体の出入状況に応じて貸出単価を変更する手段を含むことを特徴とするＣＲ遊技システム。
【請求項１４】
ＣＲ遊技機とＣＲ媒体貸出機を含み、前記ＣＲ媒体貸出機および前記ＣＲ遊技機の間のＣＲ通信によって遊技媒体をＣＲ遊技機から貸し出すＣＲ遊技システムに設けられ、遊技媒体の貸出単価を制御する媒体貸出単価制御装置であって、
前記ＣＲ媒体貸出機から、前記ＣＲ通信のうちの媒体払出指示信号を受信する払出指示信号受信手段と、
前記媒体払出指示信号が受信されたときに、可変設定される遊技媒体の貸出単価に基づき、遊技媒体の払出数を表す払出数信号を生成する払出数信号生成手段と、
前記払出数信号を前記ＣＲ遊技機へ送信する払出数信号送信手段と、
を含むことを特徴とする媒体貸出単価制御装置。
【請求項１５】
ＣＲ遊技機とＣＲ媒体貸出機を含み、前記ＣＲ媒体貸出機および前記ＣＲ遊技機の間のＣＲ通信によって遊技媒体をＣＲ遊技機から貸し出すＣＲ遊技システムに設けられ、遊技媒体の貸出単価を制御する媒体貸出単価制御装置であって、
遊技媒体の貸出のためのＣＲ通信が行われるとき、可変設定される遊技媒体の貸出単価に基づいた遊技媒体の払出数を表す払出数信号を前記ＣＲ遊技機へ送信することにより、前記ＣＲ遊技機に前記払出数信号に従って遊技媒体を払い出させることを特徴とする媒体貸出単価制御装置。
【請求項１６】
ＣＲ媒体貸出機とともにＣＲ遊技システムを構成し、ＣＲ媒体貸出機とのＣＲ通信によって遊技媒体を貸出のために払い出すＣＲ遊技機において、
ＣＲ媒体貸出機が媒体払出指示信号を送出するときに、前記ＣＲ遊技システムに設けられた媒体貸出単価制御装置から、可変設定される遊技媒体の貸出単価に基づく遊技媒体の払出数を表す払出数信号を受信する手段と、
受信された前記払出数信号に従って前記払出数の遊技媒体を払い出す手段と、
を含むことを特徴とするＣＲ遊技機。
【請求項１７】
ＣＲ媒体貸出機とともにＣＲ遊技システムを構成し、ＣＲ媒体貸出機とのＣＲ通信によって遊技媒体を貸出のために払い出すＣＲ遊技機において、
遊技媒体の貸出のためのＣＲ通信が行われるとき、前記ＣＲ遊技システムに設けられた媒体貸出単価制御装置から、可変設定される遊技媒体の貸出単価に基づく遊技媒体の払出数を表す払出数信号を受信し、前記払出数信号に従って前記払出数の遊技媒体を払い出すことを特徴とするＣＲ遊技機。
【請求項１８】
ＣＲ遊技機とＣＲ媒体貸出機を含み、前記ＣＲ媒体貸出機および前記ＣＲ遊技機の間のＣＲ通信によって遊技媒体をＣＲ遊技機から貸し出すＣＲ遊技システムにおける遊技媒体の貸出単価を制御する媒体貸出単価制御方法であって、
前記ＣＲ媒体貸出機から、前記ＣＲ通信のうちの媒体払出指示信号を受信するステップと、
前記媒体払出指示信号が受信されたときに、可変設定される遊技媒体の貸出単価に基づき、遊技媒体の払出数を表す払出数信号を生成するステップと、
前記払出数信号を前記ＣＲ遊技機へ送信するステップと、
を含むことを特徴とする媒体貸出単価制御方法。
【請求項１９】
ＣＲ遊技機とＣＲ媒体貸出機を含み、前記ＣＲ媒体貸出機および前記ＣＲ遊技機の間のＣＲ通信によって遊技媒体をＣＲ遊技機から貸し出すＣＲ遊技システムにおける遊技媒体の貸出単価を制御する媒体貸出単価制御方法であって、
遊技媒体の貸出のためのＣＲ通信が行われるとき、可変設定される遊技媒体の貸出単価に基づいた遊技媒体の払出数を表す払出数信号を前記ＣＲ遊技機へ送信することにより、前記ＣＲ遊技機に前記払出数信号に従って遊技媒体を払い出させることを特徴とする媒体貸出単価制御方法。
【請求項２０】
ＣＲ遊技機とＣＲ媒体貸出機を含み、前記ＣＲ媒体貸出機および前記ＣＲ遊技機の間のＣＲ通信によって遊技媒体をＣＲ遊技機から貸し出すＣＲ遊技システムにおいて遊技媒体の貸出単価を制御するコンピュータにて実行可能なプログラムであって、
前記ＣＲ媒体貸出機から、前記ＣＲ通信のうちの媒体払出指示信号を受信し、前記媒体払出指示信号が受信されたときに、可変設定される遊技媒体の貸出単価に基づき、遊技媒体の払出数を表す払出数信号を生成し、前記払出数信号を前記ＣＲ遊技機へ送信する処理を前記コンピュータに実行させることを特徴とするプログラム。
【請求項２１】
ＣＲ遊技機とＣＲ媒体貸出機を含み、前記ＣＲ媒体貸出機および前記ＣＲ遊技機の間のＣＲ通信によって遊技媒体をＣＲ遊技機から貸し出すＣＲ遊技システムにおいて遊技媒体の貸出単価を制御するコンピュータにて実行可能なプログラムであって、
遊技媒体の貸出のためのＣＲ通信が行われるとき、可変設定される遊技媒体の貸出単価に基づいた遊技媒体の払出数を表す払出数信号を前記ＣＲ遊技機へ送信することにより、前記ＣＲ遊技機に前記払出数信号に従って遊技媒体を払い出させる処理を前記コンピュータに実行させることを特徴とするプログラム。
【請求項２２】
ＣＲ遊技機とＣＲ媒体貸出機を含み、前記ＣＲ媒体貸出機および前記ＣＲ遊技機の間のＣＲ通信によって遊技媒体をＣＲ遊技機から貸し出すＣＲ遊技システムにおいて、
さらに、遊技媒体の貸出単価を制御する媒体貸出単価制御装置を含み、
前記媒体貸出単価制御装置は、可変設定される遊技媒体の貸出単価に基づいた遊技媒体の払出数を表す払出数信号を前記ＣＲ遊技機へ送信することにより、前記ＣＲ遊技機に前記払出数信号に従って遊技媒体を払い出させることを特徴とするＣＲ遊技システム。
【請求項２３】
ＣＲ遊技機とＣＲ媒体貸出機を含み、前記ＣＲ媒体貸出機および前記ＣＲ遊技機の間のＣＲ通信によって遊技媒体をＣＲ遊技機から貸し出すＣＲ遊技システムに設けられ、遊技媒体の貸出単価を制御する媒体貸出単価制御装置であって、可変設定される遊技媒体の貸出単価に基づいた遊技媒体の払出数を表す払出数信号を前記ＣＲ遊技機へ送信することにより、前記ＣＲ遊技機に前記払出数信号に従って遊技媒体を払い出させることを特徴とする媒体貸出単価制御装置。
【請求項２４】
ＣＲ媒体貸出機とともにＣＲ遊技システムを構成し、ＣＲ媒体貸出機とのＣＲ通信によって遊技媒体を貸出のために払い出すＣＲ遊技機において、
前記ＣＲ遊技システムに設けられた媒体貸出単価制御装置から、可変設定される遊技媒体の貸出単価に基づく遊技媒体の払出数を表す払出数信号を受信し、前記払出数信号に従って前記払出数の遊技媒体を払い出すことを特徴とするＣＲ遊技機。
【請求項２５】
ＣＲ遊技機とＣＲ媒体貸出機を含み、前記ＣＲ媒体貸出機および前記ＣＲ遊技機の間のＣＲ通信によって遊技媒体をＣＲ遊技機から貸し出すＣＲ遊技システムにおける遊技媒体の貸出単価を制御する媒体貸出単価制御方法であって、
可変設定される遊技媒体の貸出単価に基づいた遊技媒体の払出数を表す払出数信号を前記ＣＲ遊技機へ送信することにより、前記ＣＲ遊技機に前記払出数信号に従って遊技媒体を払い出させることを特徴とする媒体貸出単価制御方法。
【請求項２６】
ＣＲ遊技機とＣＲ媒体貸出機を含み、前記ＣＲ媒体貸出機および前記ＣＲ遊技機の間のＣＲ通信によって遊技媒体をＣＲ遊技機から貸し出すＣＲ遊技システムにおいて遊技媒体の貸出単価を制御するコンピュータにて実行可能なプログラムであって、可変設定される遊技媒体の貸出単価に基づいた遊技媒体の払出数を表す払出数信号を前記ＣＲ遊技機へ送信することにより、前記ＣＲ遊技機に前記払出数信号に従って遊技媒体を払い出させる処理を前記コンピュータに実行させることを特徴とするプログラム。